(57)【特許請求の範囲】
【請求項１】
床パネルを、桁壁パネルの側面と、該桁壁パネルの両側の２つの妻壁パネルの側面のそれぞれに突合せ接合するとともに、床パネルにおける桁壁パネルの側面に突合せ接合されると反対側の端部を、両妻壁パネルの間に架け渡した床梁に接合してなる建物ユニットの組立装置であって、
各壁パネルを鉛直に立てた状態で保持する壁パネル保持装置と、
床パネルを水平状態で支持し、各壁パネルの側面に接する水平方向、及び各壁パネルの側面に沿う鉛直方向に該床パネルを移動可能とする床パネル支持装置と、
床梁と床パネルと桁壁パネルの三者を水平方向で互いに押圧する水平押圧装置と、
床梁に床パネルの端部を鉛直方向に押圧する鉛直押圧装置とを有してなることを特徴とする建物ユニットの組立装置。
【請求項２】
請求項１に記載の組立装置を用いた建物ユニットの組立方法であって、
各壁パネルを壁パネル保持装置により鉛直に立てた状態で保持する工程と、
桁壁パネルの側面に床受け材を固定する工程と、
床パネルを床パネル支持装置により水平状態で支持し、該床パネルを各壁パネルの側面に接するように位置決めする工程と、
両妻壁パネルの間に床梁を架け渡す工程と、
床パネルを床パネル支持装置により下降し、床パネルを床受け材と床梁に受け渡し、且つ水平押圧装置により床梁と床パネルと桁壁パネルの三者を水平方向で互いに押圧するとともに、鉛直押圧装置により床梁に床パネルの端部を鉛直方向に押圧し、床パネルを各壁パネルの側面に沿う鉛直方向の接合レベルに位置決めする工程と、
床パネルと壁パネルを接合する工程とを有してなる建物ユニットの組立方法。
【請求項３】
床パネルの桁面の一端側の一部を、該床パネルの桁方向長さより短い桁壁パネルの側面に突合せ接合し、該床パネルの両側の妻面を２つの妻壁パネルの側面のそれぞれに突合せ接合するとともに、
床パネルにおける桁壁パネルに突合せ接合される桁面の該桁壁パネルが及ばない残部に、該桁壁パネルと一方の妻壁パネルの間に架け渡した床梁を接合し、
床パネルにおける桁壁パネルに突合せ接合される桁面と反対側の桁面に、両妻壁パネルの間に架け渡される床梁を接合してなる建物ユニットの組立装置であって、
各壁パネルを鉛直に立てた状態で保持する壁パネル保持装置と、
床パネルを水平状態で支持し、各壁パネルの側面に接する水平方向、及び各壁パネルの側面に沿う鉛直方向に該床パネルを移動可能とする床パネル支持装置と、
各床梁と床パネルと桁壁パネルを水平方向で互いに押圧する水平押圧装置と、
各床梁に床パネルの端部を鉛直方向に押圧する鉛直押圧装置とを有してなることを特徴とする建物ユニットの組立装置。
【請求項４】
請求項３に記載の組立装置を用いた建物ユニットの組立方法であって、
各壁パネルを壁パネル保持装置により鉛直に立てた状態で保持する工程と、
床パネルを床パネル支持装置により水平状態で支持し、該床パネルを各壁パネルの側面に接するように位置決めする工程と、
桁壁パネルと一方の妻壁パネルの間、及び両妻壁パネルの間に各床梁を架け渡す工程と、
床パネルを床パネル支持装置により下降し、床パネルを各床梁に受け渡し、且つ水平押圧装置により各床梁と床パネルと桁壁パネルを水平方向で互いに押圧するとともに、鉛直押圧装置により各床梁に床パネルの端部を鉛直方向に押圧し、床パネルを各壁パネルの側面に沿う鉛直方向の接合レベルに位置決めする工程と、
床パネルと壁パネルを接合する工程とを有してなる建物ユニットの組立方法。
【請求項５】
床パネルの桁面の一端側の一部を、該床パネルの桁方向長さより短い桁壁パネルの側面に突合せ接合し、該床パネルの両側の妻面を２つの妻壁パネルの側面のそれぞれに突合せ接合するとともに、
床パネルにおける桁壁パネルに突合せ接合される桁面の該桁壁パネルが及ばない残部に、該桁壁パネルと一方の妻壁パネルの間に架け渡した床梁を接合し、該床梁の上に後付桁壁パネルを載せて接合し、
床パネルにおける桁壁パネルに突合せ接合される桁面と反対側の桁面に、両妻壁パネルの間に架け渡される床梁を接合してなる建物ユニットの組立装置であって、
各壁パネルを鉛直に立てた状態で保持する壁パネル保持装置と、
床パネルを水平状態で支持し、各壁パネルの側面に接する水平方向、及び各壁パネルの側面に沿う鉛直方向に該床パネルを移動可能とする床パネル支持装置と、
各床梁と床パネルと桁壁パネルを水平方向で互いに押圧する水平押圧装置と、
各床梁に床パネルの端部を鉛直方向に押圧する鉛直押圧装置とを有してなることを特徴とする建物ユニットの組立装置。
【請求項６】
請求項５に記載の組立装置を用いた建物ユニットの組立方法であって、
後付桁壁パネル以外の各壁パネルを壁パネル保持装置により鉛直に立てた状態で保持する工程と、
床パネルを床パネル支持装置により水平状態で支持し、該床パネルを各壁パネルの側面に接するように位置決めする工程と、
桁壁パネルと一方の妻壁パネルの間、及び両妻壁パネルの間に各床梁を架け渡す工程と、
床パネルを床パネル支持装置により下降し、床パネルを各床梁に受け渡し、且つ水平押圧装置により各床梁と床パネルと桁壁パネルを水平方向で互いに押圧するとともに、鉛直押圧装置により各床梁に床パネルの端部を鉛直方向に押圧し、床パネルを各壁パネルの側面に沿う鉛直方向の接合レベルに位置決めする工程と、
後付桁壁パネルを桁壁パネルと一方の妻壁パネルの間の床梁の上に載せる工程と、
床パネルと壁パネルを接合する工程とを有してなる建物ユニットの組立方法。
【請求項７】
床パネルの桁面を桁壁パネルの側面に突合せ接合し、該床パネルの両側の妻面を２つの妻壁パネルの側面のそれぞれに突合せ接合するとともに、
桁壁パネルにおける床パネルが突合せ接合される桁面の一端側の一部に床梁を接合し、
床パネルにおける桁壁パネルに突合せ接合される桁面と反対側の桁面に、両妻壁パネルの間に架け渡される床梁を接合してなる建物ユニットの組立装置であって、
各壁パネルを鉛直に立てた状態で保持する壁パネル保持装置と、
床パネルを水平状態で支持し、各壁パネルの側面に接する水平方向、及び各壁パネルの側面に沿う鉛直方向に該床パネルを移動可能とする床パネル支持装置と、
各床梁と床パネルと桁壁パネルを水平方向で互いに押圧する水平押圧装置と、
各床梁に床パネルの端部を鉛直方向に押圧する鉛直押圧装置とを有してなることを特徴とする建物ユニットの組立装置。
【請求項８】
請求項７に記載の組立装置を用いた建物ユニットの組立方法であって、
各壁パネルを壁パネル保持装置により鉛直に立てた状態で保持する工程と、
桁壁パネルの一端側の一部に床梁を接合する工程と、
床パネルを床パネル支持装置により水平状態で支持し、該床パネルを各壁パネルの側面に接するように位置決めする工程と、
両妻壁パネルの間に床梁を架け渡す工程と、
床パネルを床パネル支持装置により下降し、床パネルを各床梁に受け渡し、且つ水平押圧装置により各床梁と床パネルと桁壁パネルを水平方向で互いに押圧するとともに、鉛直押圧装置により各床梁に床パネルの端部を鉛直方向に押圧し、床パネルを各壁パネルの側面に沿う鉛直方向の接合レベルに位置決めする工程と、
床パネルと壁パネルを接合する工程とを有してなる建物ユニットの組立方法。
【請求項９】
前記桁壁パネルの一端側の一部に接合される床梁に床支持材を設けるとともに、該桁壁パネルの他端側の床梁が設けられない部分に床受け材を設けておき、該桁壁パネルに床梁を接合した後、それらの床支持材と床受け材に床パネルを組付ける請求項８記載の建物ユニットの組立方法。
【発明の詳細な説明】
【０００１】
【発明の属する技術分野】
本発明は建物ユニットの組立装置及び方法に関する。
【０００２】
【従来の技術】
従来、床パネルの上に壁パネルを接合する床勝ち構造の建物ユニットを組立てる組立装置として、特公平7-49175号公報に記載の如く、床パネルを支持する床パネル受台と、床パネルの上に載置された全ての壁パネルを保持する壁パネル保持装置とを有してなるものがある。
【０００３】
【発明が解決しようとする課題】
然しながら、従来の組立装置では、床パネルを壁パネルの側面に突合せ接合する壁勝ちの建物ユニットを組立てることができない。
【０００４】
本発明の課題は、床パネルを壁パネルの側面に突合せ接合する壁勝ちの建物ユニットを組立て可能とすることにある。
【０００６】
【課題を解決するための手段】
請求項１に記載の本発明は、床パネルを、桁壁パネルの側面と、該桁壁パネルの両側の２つの妻壁パネルの側面のそれぞれに突合せ接合するとともに、床パネルにおける桁壁パネルの側面に突合せ接合されると反対側の端部を、両妻壁パネルの間に架け渡した床梁に接合してなる建物ユニットの組立装置であって、各壁パネルを鉛直に立てた状態で保持する壁パネル保持装置と、床パネルを水平状態で支持し、各壁パネルの側面に接する水平方向、及び各壁パネルの側面に沿う鉛直方向に該床パネルを移動可能とする床パネル支持装置と、床梁と床パネルと桁壁パネルの三者を水平方向で互いに押圧する水平押圧装置と、床梁に床パネルの端部を鉛直方向に押圧する鉛直押圧装置とを有してなるようにしたものである。
【０００８】
請求項２に記載の本発明は、請求項１に記載の組立装置を用いた建物ユニットの組立方法であって、各壁パネルを壁パネル保持装置により鉛直に立てた状態で保持する工程と、桁壁パネルの側面に床受け材を固定する工程と、床パネルを床パネル支持装置により水平状態で支持し、該床パネルを各壁パネルの側面に接するように位置決めする工程と、両妻壁パネルの間に床梁を架け渡す工程と、床パネルを床パネル支持装置により下降し、床パネルを床受け材と床梁に受け渡し、且つ水平押圧装置により床梁と床パネルと桁壁パネルの三者を水平方向で互いに押圧するとともに、鉛直押圧装置により床梁に床パネルの端部を鉛直方向に押圧し、床パネルを各壁パネルの側面に沿う鉛直方向の接合レベルに位置決めする工程と、床パネルと壁パネルを接合する工程とを有してなるようにしたものである。
【０００９】
請求項３に記載の本発明は、床パネルの桁面の一端側の一部を、該床パネルの桁方向長さより短い桁壁パネルの側面に突合せ接合し、該床パネルの両側の妻面を２つの妻壁パネルの側面のそれぞれに突合せ接合するとともに、床パネルにおける桁壁パネルに突合せ接合される桁面の該桁壁パネルが及ばない残部に、該桁壁パネルと一方の妻壁パネルの間に架け渡した床梁を接合し、床パネルにおける桁壁パネルに突合せ接合される桁面と反対側の桁面に、両妻壁パネルの間に架け渡される床梁を接合してなる建物ユニットの組立装置であって、各壁パネルを鉛直に立てた状態で保持する壁パネル保持装置と、床パネルを水平状態で支持し、各壁パネルの側面に接する水平方向、及び各壁パネルの側面に沿う鉛直方向に該床パネルを移動可能とする床パネル支持装置と、各床梁と床パネルと桁壁パネルを水平方向で互いに押圧する水平押圧装置と、各床梁に床パネルの端部を鉛直方向に押圧する鉛直押圧装置とを有してなるようにしたものである。
【００１０】
請求項４に記載の本発明は、請求項３に記載の組立装置を用いた建物ユニットの組立方法であって、各壁パネルを壁パネル保持装置により鉛直に立てた状態で保持する工程と、床パネルを床パネル支持装置により水平状態で支持し、該床パネルを各壁パネルの側面に接するように位置決めする工程と、桁壁パネルと一方の妻壁パネルの間、及び両妻壁パネルの間に各床梁を架け渡す工程と、床パネルを床パネル支持装置により下降し、床パネルを各床梁に受け渡し、且つ水平押圧装置により各床梁と床パネルと桁壁パネルを水平方向で互いに押圧するとともに、鉛直押圧装置により各床梁に床パネルの端部を鉛直方向に押圧し、床パネルを各壁パネルの側面に沿う鉛直方向の接合レベルに位置決めする工程と、床パネルと壁パネルを接合する工程とを有してなるようにしたものである。
【００１１】
請求項５に記載の本発明は、床パネルの桁面の一端側の一部を、該床パネルの桁方向長さより短い桁壁パネルの側面に突合せ接合し、該床パネルの両側の妻面を２つの妻壁パネルの側面のそれぞれに突合せ接合するとともに、床パネルにおける桁壁パネルに突合せ接合される桁面の該桁壁パネルが及ばない残部に、該桁壁パネルと一方の妻壁パネルの間に架け渡した床梁を接合し、該床梁の上に後付桁壁パネルを載せて接合し、床パネルにおける桁壁パネルに突合せ接合される桁面と反対側の桁面に、両妻壁パネルの間に架け渡される床梁を接合してなる建物ユニットの組立装置であって、各壁パネルを鉛直に立てた状態で保持する壁パネル保持装置と、床パネルを水平状態で支持し、各壁パネルの側面に接する水平方向、及び各壁パネルの側面に沿う鉛直方向に該床パネルを移動可能とする床パネル支持装置と、各床梁と床パネルと桁壁パネルを水平方向で互いに押圧する水平押圧装置と、各床梁に床パネルの端部を鉛直方向に押圧する鉛直押圧装置とを有してなるようにしたものである。
【００１２】
請求項６に記載の本発明は、請求項５に記載の組立装置を用いた建物ユニットの組立方法であって、後付桁壁パネル以外の各壁パネルを壁パネル保持装置により鉛直に立てた状態で保持する工程と、床パネルを床パネル支持装置により水平状態で支持し、該床パネルを各壁パネルの側面に接するように位置決めする工程と、桁壁パネルと一方の妻壁パネルの間、及び両妻壁パネルの間に各床梁を架け渡す工程と、床パネルを床パネル支持装置により下降し、床パネルを各床梁に受け渡し、且つ水平押圧装置により各床梁と床パネルと桁壁パネルを水平方向で互いに押圧するとともに、鉛直押圧装置により各床梁に床パネルの端部を鉛直方向に押圧し、床パネルを各壁パネルの側面に沿う鉛直方向の接合レベルに位置決めする工程と、後付桁壁パネルを桁壁パネルと一方の妻壁パネルの間の床梁の上に載せる工程と、床パネルと壁パネルを接合する工程とを有してなるようにしたものである。
【００１３】
請求項７に記載の本発明は、床パネルの桁面を桁壁パネルの側面に突合せ接合し、該床パネルの両側の妻面を２つの妻壁パネルの側面のそれぞれに突合せ接合するとともに、桁壁パネルにおける床パネルが突合せ接合される桁面の一端側の一部に床梁を接合し、床パネルにおける桁壁パネルに突合せ接合される桁面と反対側の桁面に、両妻壁パネルの間に架け渡される床梁を接合してなる建物ユニットの組立装置であって、各壁パネルを鉛直に立てた状態で保持する壁パネル保持装置と、床パネルを水平状態で支持し、各壁パネルの側面に接する水平方向、及び各壁パネルの側面に沿う鉛直方向に該床パネルを移動可能とする床パネル支持装置と、各床梁と床パネルと桁壁パネルを水平方向で互いに押圧する水平押圧装置と、各床梁に床パネルの端部を鉛直方向に押圧する鉛直押圧装置とを有してなるようにしたものである。
【００１４】
請求項８に記載の本発明は、請求項７に記載の組立装置を用いた建物ユニットの組立方法であって、各壁パネルを壁パネル保持装置により鉛直に立てた状態で保持する工程と、桁壁パネルの一端側の一部に床梁を接合する工程と、床パネルを床パネル支持装置により水平状態で支持し、該床パネルを各壁パネルの側面に接するように位置決めする工程と、両妻壁パネルの間に床梁を架け渡す工程と、床パネルを床パネル支持装置により下降し、床パネルを各床梁に受け渡し、且つ水平押圧装置により各床梁と床パネルと桁壁パネルを水平方向で互いに押圧するとともに、鉛直押圧装置により各床梁に床パネルの端部を鉛直方向に押圧し、床パネルを各壁パネルの側面に沿う鉛直方向の接合レベルに位置決めする工程と、床パネルと壁パネルを接合する工程とを有してなるようにしたものである。
【００１５】
請求項９に記載の本発明は、請求項８に記載の本発明において更に、前記桁壁パネルの一端側の一部に接合される床梁に床支持材を設けるとともに、該桁壁パネルの他端側の床梁が設けられない部分に床受け材を設けておき、該桁壁パネルに床梁を接合した後、それらの床支持材と床受け材に床パネルを組付けるようにしたものである。
【００１７】
【作用】
請求項１、２の発明によれば下記(1)、(2)の作用がある。
(1)床パネル支持装置が床パネルを壁パネルの側面に沿う鉛直方向で移動可能としたから、両妻壁パネルの間に架け渡した床梁より高いレベルに床パネルを上げた状態で該床パネルを壁パネルの側面に接近させ、その後、床パネルを下げることにより床梁に支持させることができる。
【００１８】
(2)上述(1)で床パネルを床梁に支持させた状態において、水平押圧装置により床梁と床パネルと桁壁パネルの三者を水平方向で互いに押圧するとともに、鉛直押圧装置により床梁に床パネルの端部を鉛直方向にて押圧することにより、床パネルと壁パネルと床梁の三者をパネル間のクリアランスや床の浮き上がりを伴うことなく、高精度で組立できる。
【００１９】
請求項２の発明によれば下記(3)の作用がある。
(3)床パネル支持装置が床パネルを壁パネルの側面に沿う鉛直方向で移動可能としたから、両妻壁パネルの間に架け渡した上述(1)の床梁に加え、桁壁パネルに固定した床受け材より高いレベルに床パネルを上げた状態で、該床パネルを壁パネルの側面に接近させ、その後、床パネルを下げることにより床梁と床受け材に支持させることができる。
【００２０】
請求項３、４の発明によれば下記(4)、(5)の作用がある。
(4)床パネル支持装置が床パネルを壁パネルの側面に沿う鉛直方向で移動可能としたから、各床梁より高いレベルに床パネルを上げた状態で該床パネルを壁パネルの側面に接近させ、その後、床パネルを下げることにより各床梁に支持されることができる。
【００２１】
(5)上述(4)で床パネルを各床梁に支持させた状態において、水平押圧装置により各床梁と床パネルと桁壁パネルを水平方向で互いに押圧するとともに、鉛直押圧装置により各床梁に床パネルの端部を鉛直方向にて押圧することにより、床パネルと壁パネルと各床梁をパネル間のクリアランスや床の浮き上がりを伴なうことなく高精度で組立できる。
【００２２】
請求項５、６の発明によれば下記(6)、(7)の作用がある。
(6)床パネル支持装置が床パネルを壁パネルの側面に沿う鉛直方向で移動可能としたから、各床梁より高いレベルに床パネルを上げた状態で該床パネルを壁パネルの側面に接近させ、その後、床パネルを下げることにより各床梁に支持されることができる。
【００２３】
(7)上述(6)で床パネルを各床梁に支持させた状態において、水平押圧装置により各床梁と床パネルと桁壁パネルを水平方向で互いに押圧するとともに、鉛直押圧装置により各床梁に床パネルの端部を鉛直方向にて押圧することにより、床パネルと壁パネルと各床梁をパネル間のクリアランスや床の浮き上がりを伴なうことなく高精度で組立できる。
【００２４】
請求項７、８の発明によれば下記(8)〜(10)の作用がある。
(8)床パネル支持装置が床パネルを壁パネルの側面に沿う鉛直方向で移動可能としたから、各床梁より高いレベルに床パネルを上げた状態で該床パネルを壁パネルの側面に接近させ、その後、床パネルを下げることにより各床梁に支持されることができる。
【００２５】
(9)上述(8)で床パネルを各床梁に支持させた状態において、水平押圧装置により各床梁と床パネルと桁壁パネルを水平方向で互いに押圧するとともに、鉛直押圧装置により各床梁に床パネルの端部を鉛直方向にて押圧することにより、床パネルと壁パネルと各床梁をパネル間のクリアランスや床の浮き上がりを伴なうことなく高精度で組立できる。
【００２６】
(10)建物ユニットの桁面の一端側の一部にだけ床梁を接合するものにおいて、該桁面に接合される桁壁パネルを単一パネル化したから、この桁壁パネルを先付桁壁パネルと後付桁壁パネルに分割するものに比して、工数削減し、且つ目地の発生を回避できる。
【００２７】
請求項９の発明によれば下記(11)の作用がある。
(11)桁壁パネルの一端側の一部に接合される床梁に床支持材を設けるとともに、該桁壁パネルの他端側の床梁が設けられない部分に床受材を設けておき、該桁壁パネルに床梁を接合した後、それらの床支持材と床受材に床パネルを組付けることにした。従って、床パネルを桁壁パネルに固定される床受材と、床梁に固定される床支持材の両方に支持させるに際し、桁壁パネルを先付桁壁パネルと後付桁壁パネルに分割することなく単一パネル化できる。尚、床支持材を予め床パネルに設けておき、これを床梁に載せるものでは、桁壁パネルにおいて床梁の上に載る部分を後付桁壁パネルにする必要がある。
【００２８】
【発明の実施の形態】
図１は第１実施形態の建物ユニットを示し、（Ａ）は斜視図、（Ｂ）は縦断面図、図２は組立装置を示す模式平面図、図３は組立装置を示す平面図、図４は図３の正面図、図５は図３の側面図、図６は床パネル支持装置のリフタを示し、（Ａ）は正面図、（Ｂ）は側面図、図７は壁パネル保持装置を示す正面図、図８は壁パネル保持装置の壁パネル保持状態を示す側面図、図９は壁パネル保持装置と床パネル支持装置と床梁押圧装置を示す側面図、図１０は組立手順を示し、（Ａ）は桁壁パネルセット工程を示す平面図、（Ｂ）は基準側妻壁パネルセット工程を示す平面図、（Ｃ）は床受け材固定工程を示す平面図、図１１は組立手順を示し、（Ａ）は床パネル支持工程を示す正面図、（Ｂ）は床パネルの水平位置決め工程を示す平面図、（Ｃ）は移動側妻壁パネルセット工程を示す平面図、図１２は組立手順を示し、（Ａ）は床梁セット工程を示す平面図、（Ｂ）は床パネルの鉛直位置決め工程を示す正面図、（Ｃ）はユニット接合工程を示す平面図、図１３は組立手順を示し、（Ａ）は天井パネル支持工程を示す平面図、（Ｂ）は天井パネル位置決め木桟取付工程を示す正面図、図１４は組立手順を示し、（Ａ）は天井パネル入れ込み工程を示す平面図、（Ｂ）は天井パネル位置決め工程を示す正面図、図１５は参考形態の建物ユニットを示し、（Ａ）は斜視図、（Ｂ）は縦断面図、図１６は組立手順を示し、（Ａ）は妻壁パネルセット工程を示す平面図、（Ｂ）は床パネル支持工程を示す正面図、（Ｃ）は床パネルの水平位置決め工程を示す平面図、（Ｄ）は移動側妻壁パネルセット工程を示す平面図、図１７は組立手順を示し、（Ａ）は床梁セット工程を示す平面図、（Ｂ）は妻壁パネルの位置決め工程を示す平面図、（Ｃ）は床パネルの鉛直位置決め工程を示す正面図、（Ｄ）はユニット接合工程を示す平面図、図１８は組立手順を示し、（Ａ）は天井パネル支持工程を示す平面図、（Ｂ）は天井パネル入れ込み工程を示す平面図、（Ｃ）は天井パネル位置決め工程を示す正面図、図１９は第２実施形態の建物ユニットを示し、（Ａ）は斜視図、（Ｂ）は縦断面図、図２０は組立手順を示し、（Ａ）は桁壁パネルセット工程を示す平面図、（Ｂ）は基準側妻壁パネルセット工程を示す平面図、（Ｃ）は床パネル支持工程を示す正面図、（Ｄ）は床パネルの水平位置決め工程を示す平面図、図２１は組立手順を示し、（Ａ）は移動側妻壁パネルセット工程を示す平面図、（Ｂ）は床梁セット工程を示す平面図、（Ｃ）は床梁位置決め工程を示す平面図、（Ｄ）は床パネルの鉛直位置決め工程を示す正面図、図２２は組立手順を示し、（Ａ）はユニット接合工程を示す平面図、（Ｂ）は天井パネル支持工程を示す平面図、（Ｃ）は天井パネル位置決め木桟取付工程を示す正面図、図２３は組立手順を示し、（Ａ）は天井パネル入れ込み工程を示す平面図、（Ｂ）は天井パネル位置決め工程を示す正面図、図２４は第３実施形態のユニット建物を示す斜視図、図２５は第３実施形態の建物ユニットを示し、（Ａ）は正面側の斜視図、（Ｂ）は背面側の斜視図、図２６は第３実施形態の建物ユニットを示す縦断面図、図２７は組立手順を示し、（Ａ）は桁壁パネルセット工程を示す平面図、（Ｂ）は基準側妻壁パネルセット工程を示す平面図、（Ｃ）は床パネル支持工程を示す正面図、（Ｄ）は床パネルの水平位置決め工程を示す平面図、図２８は組立手順を示し、（Ａ）は移動側妻壁パネルセット工程を示す平面図、（Ｂ）は床梁セット工程を示す平面図、（Ｃ）は床梁位置決め工程を示す平面図、（Ｄ）は床パネルの鉛直位置決め工程を示す正面図、図２９は組立手順を示し、（Ａ）はユニット接合工程を示す平面図、（Ｂ）は後付桁壁パネル入れ込み工程を示す平面図、（Ｃ）は後付桁壁パネル接合工程を示す平面図、図３０は組立手順を示し、（Ａ）は天井パネル支持工程を示す平面図、（Ｂ）は天井パネル位置決め木桟取付工程を示す正面図、図３１は組立手順を示し、（Ａ）は天井パネル入れ込み工程を示す平面図、（Ｂ）は天井パネル位置決め工程を示す正面図、図３２は桁壁パネルの分割パネル化状態を示す斜視図、図３３は第４実施形態の建物ユニットを示し、（Ａ）は正面側の斜視図、（Ｂ）は背面側の斜視図、図３４は第４実施形態の建物ユニットを示す縦断面図、図３５は組立手順を示し、（Ａ）は桁壁パネルセット工程を示す斜視図、（Ｂ）は妻壁パネルセット工程を示す斜視図、（Ｃ）は床パネルセット工程を示す斜視図、図３６は組立手順を示し、（Ａ）は床梁セット工程を示す斜視図、（Ｂ）は妻壁パネルセット工程を示す斜視図、（Ｃ）は妻壁パネルと床梁の固定工程を示す斜視図、図３７は組立手順を示し、（Ａ）は床パネルと壁パネルと床梁の固定工程を示す斜視図、（Ｂ）は天井パネルセット工程を示す斜視図、（Ｃ）は天井パネル固定工程を示す斜視図、図３８は桁壁パネルの単一パネル化状態を示す斜視図である。
【００２９】
（第１実施形態）（図１〜図１４）
本発明の組立装置１０により組立てられる建物ユニット１は、例えば図１に示す如く、床パネル２を、桁壁パネル３の側面と、桁壁パネル３の両側の２つの妻壁パネル４、５の側面のそれぞれに突合せ接合するとともに、床パネル２における桁壁パネル３の側面に突合せ接合される端部と反対側の端部を、両妻壁パネル４、５の間に架け渡したＣ形鋼からなる床梁６に接合して構成される。尚、床パネル２は、図９に示す如く、桁壁パネル３の側面に固定されるＬ形鋼からなる床受け材７の下フランジに支持されるとともに、該床パネル２に固定されたＺ形鋼８の上フランジを上述の床梁６の上フランジに支持されて接合される。
【００３０】
また、建物ユニット１は、床パネル２の下部に天井パネル９を具備する。天井パネル９は、桁壁パネル３の側の端部を該桁壁パネル３の側面に固定された位置決め木桟９Ａに固定されるとともに、床梁６の側の端部を該床梁６の下フランジに支持されて固定される。
【００３１】
組立装置１０は、図２〜図５に示す如く、桁壁パネル保持装置１１、基準側妻壁パネル保持装置１２、移動側妻壁パネル保持装置１３、床パネル支持装置１４、床梁押圧装置１５を備える。
【００３２】
桁壁パネル保持装置１１は、図２〜図５、図９に示す如く、桁壁パネル３を鉛直に立てた状態で支持する桁壁受台２１と、桁壁パネル３を支持して横移動可能とするように桁壁受台２１の上下に昇降する昇降ローラー２２と、桁壁パネル３を鉛直に立てた状態で基準面２３Ａに挟圧して桁壁受台２１の所定位置に保持する桁壁クランプ２３を備える。尚、桁壁パネル保持装置１１は、作業足場２４を備える。
【００３３】
基準側妻壁パネル保持装置１２は、図２〜図５、図７、図８に示す如く、妻壁パネル４を鉛直に立てた状態で支持する妻壁受台３１と、妻壁パネル４を支持して横移動可能とするように妻壁受台３１の上下に昇降する昇降ローラー３２と、妻壁パネル４を鉛直に立てた状態で基準面３３Ａに挟圧して妻壁受台３１の所定位置に保持する妻壁クランプ３３を備える。尚、基準側妻壁パネル保持装置１２は、作業足場３４を備える。
【００３４】
移動側妻壁パネル保持装置１３は、図２〜図５、図７に示す如く、妻壁パネル５を鉛直に立てた状態で支持する妻壁受台４１と、妻壁パネル５を支持して横移動可能とするように妻壁受台４１の上下に昇降する昇降ローラー４２と、妻壁パネル５を鉛直に立てた状態で基準面４３Ａに挟圧して妻壁受台４１の所定位置に保持する妻壁クランプ４３を備える。移動側妻壁パネル保持装置１３は、妻壁パネル５を桁方向に寄せ移動可能とするように、ガイド４４に沿って手押し、又はジャッキにて移動可能とされている。尚、移動側妻壁パネル保持装置１３は、作業足場４５を備える。
【００３５】
床パネル支持装置１４は、図２〜図５、図９に示す如く、水平面内で互いに直交するＸ方向とＹ方向のそれぞれに延在されているＸレール５１、Ｙレール５２の上に搭載される台車５３を有し、台車５３のテーブル５４を図６のリフタ５５により昇降自在としている。これにより、床パネル支持装置１４は、床パネル２、天井パネル９のそれぞれをテーブル５４に水平状態で支持し、壁パネル３、４の側面に接する水平方向、及び壁パネル３、４、５の側面に沿う鉛直方向に該床パネル２、天井パネル９を移動可能とする。
【００３６】
床梁押圧装置１５は、図９に示す如く、床パネル支持装置１４の台車５３と同様の、Ｘレール５１、Ｙレール５２の上に搭載される台車６１を有し、台車６１に水平押圧装置１６と鉛直押圧装置１７を備える。床梁押圧装置１５は、ロック装置６２により台車６１を停留された状態で、水平シリンダからなる水平押圧装置１６により床梁６のウエブと床パネル２と桁壁パネル３の三者を水平方向で互いに押圧するとともに、鉛直シリンダからなる鉛直押圧装置１７により床パネル２の端部のＺ形鋼８の上フランジを床梁６の上フランジに鉛直方向にて押圧し、この押圧状態下で床パネル２と桁壁パネル３と床梁６の三者をパネル間のクリアランスや床の浮き上がりを伴うことなく接合可能とする。
【００３７】
以下、組立装置１０による建物ユニット１の組立手順について説明する（図１０〜図１４）。
【００３８】
(1)桁壁パネル３を桁壁パネル保持装置１１により鉛直に立てた状態で保持する（図１０（Ａ））。
【００３９】
桁壁受台２１の上に上昇させた昇降ローラー２２に、桁壁パネル３をクレーンで移載する。桁壁パネル３を昇降ローラー２２により位置決め面２１Ａに衝合する所定位置まで横移動した後に、昇降ローラー２２を桁壁受台２１の下に下降し、桁壁パネル３を桁壁受台２１の上に預け、桁壁クランプ２３により桁壁パネル３を保持する。
【００４０】
(2)妻壁パネル４を基準側妻壁パネル保持装置１２により鉛直に立てた状態で保持する（図１０（Ｂ））。
【００４１】
妻壁受台３１の上に上昇させた昇降ローラー３２に、妻壁パネル４をクレーンで移載する。妻壁パネル４を昇降ローラー３２により位置決め面３１Ａに衝合する所定位置まで横移動した後に、昇降ローラー３２を妻壁受台３１の下に下降し、妻壁パネル４を妻壁受台３１の上に預け、妻壁クランプ３３により妻壁パネル４を保持する。
【００４２】
(3)桁壁パネル３の側面に床受け材７を固定する（図１０（Ｃ））。
【００４３】
床受け材７の取付位置を桁壁パネル３の側面にけがき、床受け材７を桁壁パネル３に釘打ち固定する。
【００４４】
(4)床パネル２を床パネル支持装置１４の台車５３により水平状態で支持し（図１１（Ａ））、台車５３を水平方向にて移動することにより、床パネル２を桁壁パネル３、妻壁パネル４の側面に接するように位置決めする（図１１（Ｂ））。
【００４５】
(5)妻壁パネル５を移動側妻壁パネル保持装置１３により鉛直に立てた状態で保持する（図１１（Ｃ））。
【００４６】
妻壁受台４１の上に上昇させた昇降ローラー４２に、妻壁パネル５をクレーンで移載する。妻壁パネル５を昇降ローラー４２により位置決め面４１Ａに衝合する所定位置まで横移動した後に、昇降ローラー４２を妻壁受台４１の下に下降し、妻壁パネル５を妻壁受台４１の上に預け、妻壁クランプ４３により妻壁パネル５を保持する。
【００４７】
(6)両妻壁パネル４、５の間に床梁６を架け渡す（図１２（Ａ））。このとき、移動側妻壁パネル保持装置１３をガイド４４に沿って手押しにて寄せ、床梁６を妻壁パネル４、５に仮接合する。その後、移動側妻壁パネル保持装置１３をジャッキにて更に寄せ、妻壁パネル５を基準面に押し当てる。
【００４８】
(7)床パネル支持装置１４の台車５３をリフタ５５により下降し、床パネル２を床受け材７と床梁６に受け渡す（図１２（Ｂ））。
【００４９】
(8)床梁押圧装置１５の水平押圧装置１６により床梁６と床パネル２と桁壁パネル３の三者を水平方向で互いに押圧し、且つ鉛直押圧装置１７により床梁６に床パネル２のＺ形鋼８を押圧した状態で、桁壁パネル３と妻壁パネル４、５をボルト及び釘接合し、床梁６と妻壁パネル４、５をボルト接合し、床梁６と床パネル２をボルト接合し、床受け材７と床パネル２をボルト接合する（図１２（Ｃ））。
【００５０】
(9)天井パネル９を床パネル支持装置１４の台車５３に載せる（図１３（Ａ））。
【００５１】
(10)桁壁パネル３の側面に天井パネル９のための位置決め木桟９Ａを固定する（図１３（Ｂ））。
【００５２】
(11)床パネル支持装置１４の台車５３により、天井パネル９を床下に入れ込み、リフタ５５により上昇させる（図１４（Ａ）、（Ｂ））。天井パネル９の一端部を位置決め木桟９Ａに固定し、他端部を床梁６の下フランジに固定する。これにより、建物ユニット１の組立を完了する。
【００５３】
(12)壁パネル保持装置１１〜１３の各クランプ２３、３３、４３を解除し、建物ユニット１をクレーンで搬出する。
【００５４】
尚、壁パネル保持装置１１〜１３の各クランプ２３、３３、４３の解除前に、必要により、クレーンで搬出の際の建物ユニット１の変形を防止する治具（仮梁、仮筋交等）を該建物ユニット１に取付けても良い。
【００５５】
従って、本実施形態によれば以下の作用がある。
▲１▼床パネル支持装置１４が床パネル２を壁パネル３〜５の側面に沿う鉛直方向で移動可能としたから、床パネル２を壁パネル３〜５の側面に沿う鉛直方向の接合レベルに位置決めし、床パネル２を壁パネル３〜５の側面に突合せ接合する壁勝ちのユニット建物を組立できる。
【００５６】
▲２▼床パネル支持装置１４が床パネル２を壁パネル３〜５の側面に沿う鉛直方向で移動可能としたから、両妻壁パネル４、５の間に架け渡した床梁６より高いレベルに床パネル２を上げた状態で該床パネル２を壁パネル３、４の側面に接近させ、その後、床パネル２を下げることにより床梁６に支持させることができる。
【００５７】
▲３▼上述▲２▼で床パネル２を床梁６に支持させた状態において、水平押圧装置１６により床梁６と床パネル２と桁壁パネル３の三者を水平方向で互いに押圧するとともに、鉛直押圧装置１７により床梁６に床パネル２の端部を鉛直方向にて押圧することにより、床パネル２と壁パネル３と床梁６の三者をパネル間のクリアランスや床の浮き上がりを伴うことなく、高精度で組立できる。
【００５８】
▲４▼床パネル支持装置１４が床パネル２を壁パネル３〜５の側面に沿う鉛直方向で移動可能としたから、両妻壁パネル４、５の間に架け渡した上述▲２▼の床梁６に加え、桁壁パネル３に固定した床受け材７より高いレベルに床パネル２を上げた状態で、該床パネル２を壁パネル３、４の側面に接近させ、その後、床パネル２を下げることにより床梁６と床受け材７に支持させることができる。
【００５９】
（参考形態）（図１５〜図１８）
参考形態の建物ユニット１Ａは、図１５に示す如く、床パネル２の両側の妻面を、両側の２つの妻壁パネル４、５の側面のそれぞれに突合せ接合するとともに、床パネル２の両側の桁面に両妻壁パネル４、５の間の架け渡したＣ形鋼からなる床梁６、６を接合して構成される。尚、床パネル２は、該床パネル２に固定されたＺ形鋼８の上フランジを上述の床梁６、６の上フランジに支持されて接合される。
【００６０】
また、建物ユニット１Ａは、床パネル２の下部に天井パネル９を具備する。天井パネル９は、両端部を上述の床梁６、６の下フランジに支持されて固定される。
【００６１】
以下、組立装置１０による建物ユニット１Ａの組立手順について説明する（図１６〜図１８）。
【００６２】
(1)妻壁パネル４を基準側妻壁パネル保持装置１２により鉛直に立てた状態で保持する（図１６（Ａ））。
【００６３】
妻壁受台３１の上に上昇させた昇降ローラー３２に、妻壁パネル４をクレーンで移載する。妻壁パネル４を昇降ローラー３２により位置決め面３１Ａに衝合する所定位置まで横移動した後に、昇降ローラー３２を妻壁受台３１の下に下降し、妻壁パネル４を妻壁受台３１の上に預け、妻壁クランプ３３により妻壁パネル４を保持する（図１６（Ａ））。
【００６４】
(2)床パネル２を床パネル支持装置１４の台車５３により水平状態で支持し（図１６（Ｂ））、台車５３を水平方向にて移動することにより、床パネル２を妻壁パネル４の側面に接するように位置決めする（図１６（Ｃ））。
【００６５】
(3)妻壁パネル５を移動側妻壁パネル保持装置１３により鉛直に立てた状態で保持する（図１６（Ｄ））。
【００６６】
妻壁受台４１の上に上昇させた昇降ローラー４２に、妻壁パネル５をクレーンで移載する。妻壁パネル５を昇降ローラー４２により位置決め面４１Ａに衝合する所定位置まで横移動した後に、昇降ローラー４２を妻壁受台４１の下に下降し、妻壁パネル５を妻壁受台４１の上に預け、妻壁クランプ４３により妻壁パネル５を保持する（図１６（Ｄ））。
【００６７】
(4)両妻壁パネル４、５の間に床梁６を架け渡す（図１７（Ａ））。このとき、移動側妻壁パネル保持装置１３をガイド４４に沿って手押しにて寄せ、床梁６、６を妻壁パネル４、５に仮接合する。その後、移動側妻壁パネル保持装置１３をジャッキにて更に寄せ、妻壁パネル５を基準面に押し当てる（図１７（Ｂ））。
【００６８】
(5)床パネル支持装置１４の台車５３をリフタ５５により下降し、床パネル２を床梁６、６に受け渡す（図１７（Ｃ））。
【００６９】
(6)床梁押圧装置１５の水平押圧装置１６により床梁６、６と床パネル２と桁壁パネル３の三者を水平方向で互いに押圧し、且つ鉛直押圧装置１７により床梁６に床パネル２のＺ形鋼８を押圧した状態で、床梁６、６と妻壁パネル４、５をボルト接合し、床梁６、６と床パネル２をボルト接合及び、釘接合する（図１７（Ｄ））。
【００７０】
(7)天井パネル９を床パネル支持装置１４の台車５３に載せる（図１８（Ａ））。
【００７１】
(8)床パネル支持装置１４の台車５３により、天井パネル９を床下に入れ込み、リフタ５５により上昇させる（図１８（Ｂ）、（Ｃ））。天井パネル９の両端部を床梁６、６の下フランジに固定する。これにより、建物ユニット（ニの字ユニット）１Ａの組立を完了する。
【００７２】
従って、参考形態によれば、以下の作用がある。
(1)床パネル支持装置１４が床パネル２を壁パネル４、５の側面に沿う鉛直方向で移動可能としたから、両妻壁パネル４、５の間に架け渡した床梁６より高いレベルに床パネル２を上げた状態で該床パネル２を該壁パネル４の側面に接近させ、その後、床パネル２を下げることにより床梁６、６に支持させることができる。
【００７３】
(2)上述(1)で床パネル２を床梁６、６に支持させた状態において、水平押圧装置１６により床梁６、６と床パネル２を水平方向で互いに押圧するとともに、鉛直押圧装置１７により床梁６、６に床パネル２の端部を鉛直方向にて押圧することにより、床パネル２と壁パネル４、５と床梁６、６をパネル間のクリアランスや床の浮き上がりを伴なうことなく、高精度で組立できる。
【００７４】
（第２実施形態）（図１９〜図２３）
第２実施形態の建物ユニット１Ｂは、図１９に示す如く、床パネル２の桁面の一端側の一部を、該床パネル２の桁方向長さより短い桁壁パネル３の側面に突合せ接合し、該床パネル２の両側の妻面を２つの妻壁パネル４、５の側面のそれぞれに突合せ接合するとともに、床パネル２における桁壁パネル３に突合せ接合される桁面の該桁壁パネル３が及ばない残部に、該桁壁パネル３と一方の妻壁パネル５の間に架け渡したＣ形鋼からなる床梁６Ａを接合する。また、床パネル２における桁壁パネル３に突合せ接合される桁面と反対側の桁面に、両妻壁パネル４、５の間に架け渡したＣ形鋼からなる床梁６を接合する。尚、床パネル２は、桁壁パネル３の側面に固定されるＬ形鋼からなる床受け材７の下フランジに支持されるとともに、該床パネル２に固定されたＺ形鋼８の上フランジを上述の床梁６、６Ａの上フランジに支持されて接合される。
【００７５】
また、建物ユニット１Ｂは、床パネル２の下部に天井パネル９を具備する。天井パネル９は、桁壁パネル３の側の端部を該桁壁パネル３の側面に固定された位置決め木桟９Ａと床梁６Ａの下フランジに支持されて固定されるとともに、床梁６の側の端部を該床梁６の下フランジに支持されて固定される。
【００７６】
以下、組立装置１０による建物ユニット１Ｂの組立手順について説明する。
(1)桁壁パネル３を桁壁パネル保持装置１１により鉛直に立てた状態で保持する（図２０（Ａ））。
【００７７】
桁壁受台２１の上に上昇させた昇降ローラー２２に、桁壁パネル３をクレーンで移載する。桁壁パネル３を昇降ローラー２２により位置決め面２１Ａに衝合する所定位置まで横移動した後に、昇降ローラー２２を桁壁受台２１の下に下降し、桁壁パネル３を桁壁受台２１の上に預け、桁壁クランプ２３により桁壁パネル３を保持する。
【００７８】
(2)妻壁パネル４を基準側妻壁パネル保持装置１２により鉛直に立てた状態で保持する（図２０（Ｂ））。
【００７９】
妻壁受台３１の上に上昇させた昇降ローラー３２に、妻壁パネル４をクレーンで移載する。妻壁パネル４を昇降ローラー３２により位置決め面３１Ａに衝合する所定位置まで横移動した後に、昇降ローラー３２を妻壁受台３１の下に下降し、妻壁パネル４を妻壁受台３１の上に預け、妻壁クランプ３３により妻壁パネル４を保持する（図２０（Ｂ））。
【００８０】
(3)桁壁パネル３の側面に床受け材７を固定する。床受け材７の取付位置を桁壁パネル３の側面に罫書き、床受け材７を桁壁パネル３に釘打ち固定する。
【００８１】
(4)床パネル２を床パネル支持装置１４の台車５３により水平状態で支持し（図２０（Ｃ））、台車５３を水平方向にて移動することにより、床パネル２を桁壁パネル３、妻壁パネル４の側面に接するように位置決めする（図２０（Ｄ））。
【００８２】
(5)妻壁パネル５を基準側妻壁パネル保持装置１３により鉛直に立てた状態で保持する（図２１（Ａ））。
【００８３】
妻壁受台４１の上に上昇させた昇降ローラー４２に、妻壁パネル５をクレーンで移載する。妻壁パネル５を昇降ローラー４２により位置決め面４１Ａに衝合する所定位置まで横移動した後に、昇降ローラー４２を妻壁受台４１の下に下降し、妻壁パネル５を妻壁受台４１の上に預け、妻壁クランプ４３により妻壁パネル５を保持する（図２１（Ａ））。
【００８４】
(6)桁壁パネル３と妻壁パネル５の間に床梁６Ａを、妻壁パネル４、５の間に床梁６を架け渡す（図２１（Ｂ））。このとき、移動側妻壁パネル保持装置１３をガイド４４に沿って手押しにて寄せ、床梁６Ａと桁壁パネル１をボルト接合、床梁６Ａと妻壁パネル５、床梁６と妻壁パネル４、５を仮接合する。その後、移動側妻壁パネル保持装置１３をジャッキにて更に寄せ、妻壁パネル５を基準面に押し当てる（図２１（Ｃ））。
【００８５】
(7)床パネル支持装置１４の台車５３をリフタ５５により下降し、床パネル２を床受け材７、床梁６Ａ、６に受け渡す（図２１（Ｄ））。
【００８６】
(8)床梁押圧装置１５の水平押圧装置１６により床梁６Ａと桁壁パネル３、床パネル２、床梁６と三者を水平方向で互いに押圧し、且つ鉛直押圧装置１７により床梁６に床パネル２のＺ形鋼８を押圧した状態で、桁壁パネル３と妻壁パネル４をボルト及び釘接合し、床梁６Ａと妻壁パネル５、床梁６と妻壁パネル４、５をボルト接合、床梁６Ａ、６と床パネル２をボルト及び釘接合し、床受け材７と床パネル２を釘接合する（図２２（Ａ））。
【００８７】
(9)天井パネル９を床パネル支持装置１４の台車５３に載せる（図２２（Ｂ））。
【００８８】
(10)桁壁パネル３の側面に天井パネル９のための位置決め木桟９Ａを固定する（図２２（Ｃ））。
【００８９】
(11)床パネル支持装置１４の台車５３により、天井パネル９を床下に入れ込み、リフタ５５により上昇させる（図２３（Ａ）、（Ｂ））。天井パネル９の一端を位置決め木桟９Ａと床梁６Ａの下フランジに固定し、他端部を床梁６の下フランジに固定する。これにより、建物ユニット（長短ユニット）１Ｂの組立を完了する。
【００９０】
従って、本実施形態によれば、以下の作用がある。
▲１▼床パネル支持装置１４が床パネル２を壁パネル３〜５の側面に沿う鉛直方向で移動可能としたから、各床梁６、６Ａより高いレベルに床パネル２を上げた状態で該床パネル２を壁パネル３、４の側面に接近させ、その後、床パネル２を下げることにより各床梁６、６Ａに支持されることができる。
【００９１】
▲２▼上述▲１▼で床パネル２を各床梁６、６Ａに支持させた状態において、水平押圧装置１６により各床梁６、６Ａと床パネル２と桁壁パネル３を水平方向で互いに押圧するとともに、鉛直押圧装置１７により各床梁６、６Ａに床パネル２の端部を鉛直方向にて押圧することにより、床パネル２と壁パネル３と各床梁６、６Ａをパネル間のクリアランスや床の浮き上がりを伴なうことなく高精度で組立できる。
【００９２】
（第３実施形態）（図２４〜図３２）
第３実施形態のユニット建物１００は、その一部を図２４に示す如くに構成しており、下階建物ユニット１０１に上階建物ユニット１０２を搭載し、下階建物ユニット１０１の桁面の一部に下屋ユニット１０３を設け、上階建物ユニット１０２の桁面の一部に下屋ユニット１０３に搭載されるバルコニーユニット１００を設けたものである。ユニット建物１００においては、上階建物ユニット１０２の桁面の一部を下階建物ユニット１０１の耐力壁がない部分の上部に配置しており、この上階建物ユニット１０２の桁面の一部に床梁６Ａを設けてこれを補強する必要がある。上階建物ユニット１０２としては、図２５、図２６に示した建物ユニット１Ｃが採用されるものになる。
【００９３】
第３実施形態の建物ユニット１Ｃは、図２５、図２６、図３２に示す如く、床パネル２の桁面の一端側の一部を、該床パネル２の桁方向長さより短い桁壁パネル３の側面に突合せ接合し、該床パネル２の両側の妻面を２つの妻壁パネル４、５の側面のそれぞれに突合せ接合するとともに、床パネル２における桁壁パネル３に突合せ接合される桁面の該桁壁パネル３が及ばない残部に、該桁壁パネル３と一方の妻壁パネル５の間に架け渡した床梁６Ａを接合し、この床梁６Ａの上に後付桁壁パネル３Ａを載せて接合したものである。このとき、桁壁パネル３と後付桁壁パネル３Ａのつなぎ部に目地３Ｂを伴なう。また、建物ユニット１Ｃでは、床パネル２における桁壁パネル３に突合せ接合される桁面と反対側の桁面に、両妻壁パネル４、５の間に架け渡した床梁６を接合している。尚、床パネル２は、桁壁パネル３の側面に固定されるＬ形鋼からなる床受け材７の下フランジに支持されるとともに、該床パネル２に固定されたＺ形鋼８の上フランジを上述の床梁６、６Ａの上フランジに支持されて接合される。
【００９４】
また、建物ユニット１Ｃは、床パネル２の下部に天井パネル９を具備する。天井パネル９は、桁壁パネル３の側の端部を該桁壁パネル３の側面に固定された位置決め木桟９Ａと床梁６Ａの下フランジに支持されて固定されるとともに、床梁６の側の端部を該床梁６の下フランジに支持されて固定される。
【００９５】
以下、組立装置１０により建物ユニット１Ｃの組立手順について説明する（図２７〜図３１）。
【００９６】
(1)桁壁パネル３を桁壁パネル保持装置１１により鉛直に立てた状態で保持する（図２７（Ａ））。
【００９７】
桁壁受台２１の上に上昇させた昇降ローラー２２に、桁壁パネル３をクレーンで移載する。桁壁パネル３を昇降ローラー２２により位置決め面２１Ａに衝合する所定位置まで横移動した後に、昇降ローラー２２を桁壁受台２１の下に下降し、桁壁パネル３を桁壁受台２１の上に預け、桁壁クランプ２３により桁壁パネル３を保持する（図２７（Ａ））。
【００９８】
(2)妻壁パネル４を基準側妻壁パネル保持装置１２により鉛直に立てた状態で保持する（図２７（Ｂ））。
【００９９】
妻壁受台３１の上に上昇させた昇降ローラー３２に、妻壁パネル４をクレーンで移載する。妻壁パネル４を昇降ローラー３２により位置決め面３１Ａに衝合する所定位置まで横移動した後に、昇降ローラー３２を妻壁受台３１の下に下降し、妻壁パネル４を妻壁受台３１の上に預け、妻壁クランプ３３により妻壁パネル４を保持する（図２７（Ｂ））。
【０１００】
(3)桁壁パネル３の側面に床受け材７を固定する。床受け材７の取付位置を桁壁パネル３の側面に罫書き、床受け材７を桁壁パネル３に釘打ち固定する。
【０１０１】
(4)床パネル２を床パネル支持装置１４の台車５３により水平状態で支持し（図２７（Ｃ））、台車５３を水平方向にて移動することにより、床パネル２を桁壁パネル３、妻壁パネル４の側面に接するように位置決めする（図２７（Ｄ））。
【０１０２】
(5)妻壁パネル５を基準側妻壁パネル保持装置１３により鉛直に立てた状態で保持する（図２８（Ａ））。
【０１０３】
妻壁受台４１の上に上昇させた昇降ローラー４２に、妻壁パネル５をクレーンで移載する。妻壁パネル５を昇降ローラー４２により位置決め面４１Ａに衝合する所定位置まで横移動した後に、昇降ローラー４２を妻壁受台４１の下に下降し、妻壁パネル５を妻壁受台４１の上に預け、妻壁クランプ４３により妻壁パネル５を保持する（図２８（Ａ））。
【０１０４】
(6)桁壁パネル３と妻壁パネル５の間に床梁６Ａを、妻壁パネル４、５の間に床梁６を架け渡す（図２８（Ｂ））。このとき、移動側妻壁パネル保持装置１３をガイド４４に沿って手押しにて寄せ、床梁６Ａと桁壁パネル１をボルト接合、床梁６Ａと妻壁パネル５、床梁６と妻壁パネル４、５を仮接合する。その後、移動側妻壁パネル保持装置１３をジャッキにて更に寄せ、妻壁パネル５を基準面に押し当てる（図２８（Ｃ））。
【０１０５】
(7)床パネル支持装置１４の台車５３をリフタ５５により下降し、床パネル２を床受け材７、床梁６Ａ、６に受け渡す（図２８（Ｄ））。
【０１０６】
(8)床梁押圧装置１５の水平押圧装置１６により床梁６Ａと桁壁パネル３、床パネル２、床梁６と三者を水平方向で互いに押圧し、且つ鉛直押圧装置１７により床梁６に床パネル２のＺ形鋼８を押圧した状態で、桁壁パネル３と妻壁パネル４をボルト及び釘接合し、床梁６Ａと妻壁パネル５、床梁６と妻壁パネル４、５、床梁６Ａ、６と床パネル２をボルト接合し、床受け材７と床パネル２を釘接合する（図２９（Ａ））。
【０１０７】
(9)クレーンにて後付桁壁パネル３Ａを桁壁パネル３と妻壁パネル５の間に移動させ床梁６Ａの上に載せる。
【０１０８】
その後、後付桁壁パネル１８を保持装置１１に立て掛け鉛直に立たせ桁壁クランプ２３により保持する（図２９（Ｂ））。
【０１０９】
(10)桁壁パネル３と後付桁壁パネル３Ａを釘接合、床梁６Ａと後付桁壁パネル３Ａをボルト接合、妻壁パネル５と後付桁壁パネル３Ａをボルト接合及び釘接合する（図２９（Ｃ））。
【０１１０】
(11)天井パネル９を床パネル支持装置１４の台車５３に載せる（図３０（Ａ））。
【０１１１】
(12)桁壁パネル３の側面に天井パネル９のための位置決め木桟９Ａを固定する（図３０（Ｂ））。
【０１１２】
(13)床パネル支持装置１４の台車５３により、天井パネル９を床下に入れ込み、リフタ５５により上昇させる（図３１（Ａ）、（Ｂ））。天井パネル９の一端を位置決め木桟９Ａと床梁６Ａの下フランジに固定し、他端部を床梁６の下フランジに固定する。これにより、建物ユニット（長短ユニット）１Ｃの組立を完了する。
【０１１３】
従って、本実施形態によれば、以下の作用がある。
▲１▼床パネル支持装置１４が床パネル２を壁パネル３〜５の側面に沿う鉛直方向で移動可能としたから、各床梁６、６Ａより高いレベルに床パネル２を上げた状態で該床パネル２を壁パネル３、４の側面に接近させ、その後、床パネル２を下げることにより各床梁６、６Ａに支持されることができる。
【０１１４】
▲２▼上述▲１▼で床パネル２を各床梁６、６Ａに支持させた状態において、水平押圧装置１６により各床梁６、６Ａと床パネル２と桁壁パネル３を水平方向で互いに押圧するとともに、鉛直押圧装置１７により各床梁６、６Ａに床パネル２の端部を鉛直方向にて押圧することにより、床パネル２と壁パネル３と各床梁６、６Ａをパネル間のクリアランスや床の浮き上がりを伴なうことなく高精度で組立できる。
【０１１５】
（第４実施形態）（図３３〜図３８）
第４実施形態の建物ユニット１Ｄは、第３実施形態で示した図２４のユニット建物１００の上階建物ユニット１０２に採用できるものであり、建物ユニット１Ｃと同様に、下階建物ユニット１０１の耐力壁がない部分の上部に対応する桁面の一部に床梁６Ａを備えるものである。建物ユニット１Ｄが建物ユニット１Ｃと異なる点は、桁壁パネル３を単一パネル化して、建物ユニット１Ｃにおける如くの先付桁壁パネル３と後付桁壁パネル３Ａの間の目地を伴なわないようにしたことにある（図３８）。
【０１１６】
第４実施形態の建物ユニット１Ｄは、図３３、図３４に示す如く、床パネル２の桁面を桁壁パネル３の側面に突合せ接合し、該床パネル２の両側の妻面を２つの妻壁パネル４、５の側面のそれぞれに突合せ接合するとともに、桁壁パネル３における床パネル２が突合せ接合される桁面の一端側の一部に床梁６Ａを接合し、床パネル２における桁壁パネル３に突合せ接合される桁面と反対側の桁面に、両妻壁パネル４、５の間に架け渡される床梁６を接合したものである。
【０１１７】
尚、建物ユニット１Ｄにあっては、桁壁パネル３の床梁６Ａに床支持材となるＺ形鋼８を予め設けるとともに（第３実施形態の建物ユニット１Ｃでは、床パネル２にＺ形鋼８を予め設けていた）、桁壁パネル３の他端側の床梁６Ａが設けられない部分に床受け材７を設けておき、桁壁パネル３に床梁６Ａを接合した後、それらの床受け材７の下フランジとＺ形鋼８の下フランジに床パネル２を載せて組付けることとしている。
【０１１８】
また、建物ユニット１Ｄは、床パネル２の下部に天井パネル９を具備する。天井パネル９は、桁壁パネル３の側の端部を該桁壁パネル３の側面に固定された位置決め木桟９Ａと床梁６Ａの下フランジに固定し、床梁６の側の端部を該床梁６の下フランジに支持されて固定される。
【０１１９】
以下、組立装置１０による建物ユニット１Ｄの組立手順について説明する（図３５〜図３７）。
【０１２０】
(1)桁壁パネル３を桁壁パネル保持装置１１により鉛直に立てた状態で保持する（図３５（Ａ））。
【０１２１】
桁壁受台２１の上に上昇させた昇降ローラー２２に、桁壁パネル３をクレーンで移載する。桁壁パネル３を昇降ローラー２２により位置決め面２１Ａに衝合する所定位置まで横移動した後に、昇降ローラー２２を桁壁受台２１の下に下降し、桁壁パネル３を桁壁受台２１の上に預け、桁壁クランプ２３により桁壁パネル３を保持する（図３５（Ａ））。
【０１２２】
(2)床梁６Ａを桁壁パネル３の桁面の一端側の一部にセットして固定する。床梁６Ａには予めＺ形鋼８の上フランジが固定される。桁壁パネル３の床梁６Ａが設けられない部分にはＬ形鋼からなる床受け材７を取付ける。Ｚ形鋼８の下フランジと床受け材７の下フランジを同一レベルに設定する。
【０１２３】
(3)妻壁パネル４を基準側妻壁パネル保持装置１２により鉛直に立てた状態で保持する（図３５（Ｂ））。
【０１２４】
妻壁受台３１の上に上昇させた昇降ローラー３２に、妻壁パネル４をクレーンで移載する。妻壁パネル４を昇降ローラー３２により位置決め面３１Ａに衝合する所定位置まで横移動した後に、昇降ローラー３２を妻壁受台３１の下に下降し、妻壁パネル４を妻壁受台３１の上に預け、妻壁クランプ３３により妻壁パネル４を保持する（図３５（Ｂ））。
【０１２５】
(4)床パネル２を床パネル支持装置１４の台車５３により水平状態で支持し（図３５（Ｃ））、台車５３を水平方向に移動することにより、床パネル２を桁壁パネル３、妻壁パネル４の側面に接するように位置決めする（図３５（Ｃ））。
【０１２６】
(5)床パネル２における桁壁パネル３に突合せ接合される桁面と反対側の桁面に、床梁６をセットする（図３６（Ａ））。
【０１２７】
(6)妻壁パネル５を基準側妻壁パネル保持装置１３により鉛直に立てた状態で保持する（図３６（Ｂ））。
【０１２８】
妻壁受台４１の上に上昇させた昇降ローラー４２に、妻壁パネル５をクレーンで移載する。妻壁パネル５を昇降ローラー４２により位置決め面４１Ａに衝合する所定位置まで横移動した後に、昇降ローラー４２を妻壁受台４１の下に下降し、妻壁パネル５を妻壁受台４１の上に預け、妻壁クランプ４３により妻壁パネル５を保持する（図３６（Ｂ））。
【０１２９】
(7)移動側妻壁パネル保持装置１３をガイド４４に沿って手押しにて寄せ、床梁６Ａと妻壁パネル５、床梁６と妻壁パネル４、５を接合する（図３６（Ｃ））。
【０１３０】
(8)床パネル支持装置１４の台車５３をリフタ５５により下降し、床パネル２を床受け材７、床梁６Ａ、６のＺ形鋼８に受け渡す（図３７（Ａ））。
【０１３１】
(9)床梁押圧装置１５の水平押圧装置１６により床梁６Ａと桁壁パネル３、床パネル２、床梁６を水平方向で互いに押圧し、且つ鉛直押圧装置１７により床梁６のＺ形鋼８に床パネル２を押圧した状態で、床パネル２を床梁６、６ＡのＺ形鋼８、壁パネル３、４、５にボルト接合し、床受け材７と床パネル２を釘接合する（図３７（Ａ））。
【０１３２】
(10)天井パネル９を床パネル支持装置１４の台車５３に載せる（図３７（Ｂ））。
【０１３３】
(11)床パネル支持装置１４の台車５３により、天井パネル９を床下に入れ込み、リフタ５５により上昇させ、天井パネル９を壁パネル３、４、５、床梁６、６Ａに固定させる（図３７（Ｃ））。
【０１３４】
従って、本実施形態によれば、以下の作用がある。
▲１▼床パネル支持装置１４が床パネル２を壁パネル３〜５の側面に沿う鉛直方向で移動可能としたから、各床梁６、６Ａより高いレベルに床パネル２を上げた状態で該床パネル２を壁パネル３、４の側面に接近させ、その後、床パネル２を下げることにより各床梁６、６Ａに支持されることができる。
【０１３５】
▲２▼上述▲１▼で床パネル２を各床梁６、６Ａに支持させた状態において、水平押圧装置１６により各床梁６、６Ａと床パネル２と桁壁パネル３を水平方向で互いに押圧するとともに、鉛直押圧装置１７により各床梁６、６Ａに床パネル２の端部を鉛直方向にて押圧することにより、床パネル２と壁パネル３と各床梁６、６Ａをパネル間のクリアランスや床の浮き上がりを伴なうことなく高精度で組立できる。
【０１３６】
▲３▼建物ユニット１Ｄの桁面の一端側の一部にだけ床梁６Ａを接合するものにおいて、該桁面に接合される桁壁パネル３を単一パネル化したから、この桁壁パネル３を先付桁壁パネルと後付桁壁パネルに分割するものに比して、工数削減し、且つ目地の発生を回避できる。
【０１３７】
▲４▼桁壁パネル３の一端側の一部に接合される床梁６ＡにＺ形鋼８を設けるとともに、該桁壁パネル３の他端側の床梁６Ａが設けられない部分に床受材７を設けておき、該桁壁パネル３に床梁６Ａを接合した後、それらのＺ形鋼８と床受材７に床パネル２を組付けることにした。従って、床パネル２を桁壁パネル３に固定される床受材７と、床梁６Ａに固定されるＺ形鋼８の両方に支持させるに際し、桁壁パネル３を先付桁壁パネルと後付桁壁パネルに分割することなく単一パネル化できる（図３８）。尚、Ｚ形鋼８を予め床パネル２に設けておき、これを床梁６Ａに載せるもの（図３２）では、桁壁パネルにおいて床梁６Ａの上に載る部分を後付桁壁パネルにする必要がある。
【０１３８】
以上、本発明の実施の形態を図面により詳述したが、本発明の具体的な構成はこの実施の形態に限られるものではなく、本発明の要旨を逸脱しない範囲の設計の変更等があっても本発明に含まれる。
【０１３９】
【発明の効果】
以上のように本発明によれば、床パネルを壁パネルの側面に突合せ接合する壁勝ちの建物ユニットを組立ることができる。
【図面の簡単な説明】
【図１】  図１は第１実施形態の建物ユニットを示し、（Ａ）は斜視図、（Ｂ）は縦断面図である。
【図２】  図２は組立装置を示す模式平面図である。
【図３】  図３は組立装置を示す平面図である。
【図４】  図４は図３の正面図である。
【図５】  図５は図３の側面図である。
【図６】  図６は床パネル支持装置のリフタを示し、（Ａ）は正面図、（Ｂ）は側面図である。
【図７】  図７は壁パネル保持装置を示す正面図である。
【図８】  図８は壁パネル保持装置の壁パネル保持状態を示す側面図である。
【図９】  図９は壁パネル保持装置と床パネル支持装置と床梁押圧装置を示す側面図である。
【図１０】  図１０は組立手順を示し、（Ａ）は桁壁パネルセット工程を示す平面図、（Ｂ）は基準側妻壁パネルセット工程を示す平面図、（Ｃ）は床受け材固定工程を示す平面図である。
【図１１】  図１１は組立手順を示し、（Ａ）は床パネル支持工程を示す正面図、（Ｂ）は床パネルの水平位置決め工程を示す平面図、（Ｃ）は移動側妻壁パネルセット工程を示す平面図である。
【図１２】  図１２は組立手順を示し、（Ａ）は床梁セット工程を示す平面図、（Ｂ）は床パネルの鉛直位置決め工程を示す正面図、（Ｃ）はユニット接合工程を示す平面図である。
【図１３】  図１３は組立手順を示し、（Ａ）は天井パネル支持工程を示す平面図、（Ｂ）は天井パネル位置決め木桟取付工程を示す正面図である。
【図１４】  図１４は組立手順を示し、（Ａ）は天井パネル入れ込み工程を示す平面図、（Ｂ）は天井パネル位置決め工程を示す正面図である。
【図１５】  図１５は参考形態の建物ユニットを示し、（Ａ）は斜視図、（Ｂ）は縦断面図である。
【図１６】  図１６は組立手順を示し、（Ａ）は妻壁パネルセット工程を示す平面図、（Ｂ）は床パネル支持工程を示す正面図、（Ｃ）は床パネルの水平位置決め工程を示す平面図、（Ｄ）は移動側妻壁パネルセット工程を示す平面図である。
【図１７】  図１７は組立手順を示し、（Ａ）は床梁セット工程を示す平面図、（Ｂ）は妻壁パネルの位置決め工程を示す平面図、（Ｃ）は床パネルの鉛直位置決め工程を示す正面図、（Ｄ）はユニット接合工程を示す平面図である。
【図１８】  図１８は組立手順を示し、（Ａ）は天井パネル支持工程を示す平面図、（Ｂ）は天井パネル入れ込み工程を示す平面図、（Ｃ）は天井パネル位置決め工程を示す正面図である。
【図１９】  図１９は第２実施形態の建物ユニットを示し、（Ａ）は斜視図、（Ｂ）は縦断面図である。
【図２０】  図２０は組立手順を示し、（Ａ）は桁壁パネルセット工程を示す平面図、（Ｂ）は基準側妻壁パネルセット工程を示す平面図、（Ｃ）は床パネル支持工程を示す正面図、（Ｄ）は床パネルの水平位置決め工程を示す平面図である。
【図２１】  図２１は組立手順を示し、（Ａ）は移動側妻壁パネルセット工程を示す平面図、（Ｂ）は床梁セット工程を示す平面図、（Ｃ）は床梁位置決め工程を示す平面図、（Ｄ）は床パネルの鉛直位置決め工程を示す正面図である。
【図２２】  図２２は組立手順を示し、（Ａ）はユニット接合工程を示す平面図、（Ｂ）は天井パネル支持工程を示す平面図、（Ｃ）は天井パネル位置決め木桟取付工程を示す正面図である。
【図２３】  図２３は組立手順を示し、（Ａ）は天井パネル入れ込み工程を示す平面図、（Ｂ）は天井パネル位置決め工程を示す正面図である。
【図２４】  図２４は第３実施形態のユニット建物を示す斜視図である。
【図２５】  図２５は第３実施形態の建物ユニットを示し、（Ａ）は正面側の斜視図、（Ｂ）は背面側の斜視図である。
【図２６】  図２６は第３実施形態の建物ユニットを示す縦断面図である。
【図２７】  図２７は組立手順を示し、（Ａ）は桁壁パネルセット工程を示す平面図、（Ｂ）は基準側妻壁パネルセット工程を示す平面図、（Ｃ）は床パネル支持工程を示す正面図、（Ｄ）は床パネルの水平位置決め工程を示す平面図である。
【図２８】  図２８は組立手順を示し、（Ａ）は移動側妻壁パネルセット工程を示す平面図、（Ｂ）は床梁セット工程を示す平面図、（Ｃ）は床梁位置決め工程を示す平面図、（Ｄ）は床パネルの鉛直位置決め工程を示す正面図である。
【図２９】  図２９は組立手順を示し、（Ａ）はユニット接合工程を示す平面図、（Ｂ）は後付桁壁パネル入れ込み工程を示す平面図、（Ｃ）は後付桁壁パネル接合工程を示す平面図である。
【図３０】  図３０は組立手順を示し、（Ａ）は天井パネル支持工程を示す平面図、（Ｂ）は天井パネル位置決め木桟取付工程を示す正面図である。
【図３１】  図３１は組立手順を示し、（Ａ）は天井パネル入れ込み工程を示す平面図、（Ｂ）は天井パネル位置決め工程を示す正面図である。
【図３２】  図３２は桁壁パネルの分割パネル化状態を示す斜視図である。
【図３３】  図３３は第４実施形態の建物ユニットを示し、（Ａ）は正面側の斜視図、（Ｂ）は背面側の斜視図である。
【図３４】  図３４は第４実施形態の建物ユニットを示す縦断面図である。
【図３５】  図３５は組立手順を示し、（Ａ）は桁壁パネルセット工程を示す斜視図、（Ｂ）は妻壁パネルセット工程を示す斜視図、（Ｃ）は床パネルセット工程を示す斜視図である。
【図３６】  図３６は組立手順を示し、（Ａ）は床梁セット工程を示す斜視図、（Ｂ）は妻壁パネルセット工程を示す斜視図、（Ｃ）は妻壁パネルと床梁の固定工程を示す斜視図である。
【図３７】  図３７は組立手順を示し、（Ａ）は床パネルと壁パネルと床梁の固定工程を示す斜視図、（Ｂ）は天井パネルセット工程を示す斜視図、（Ｃ）は天井パネル固定工程を示す斜視図である。
【図３８】  図３８は桁壁パネルの単一パネル化状態を示す斜視図である。
【符号の説明】
１、１Ａ〜１Ｄ  建物ユニット
２  床パネル
３、３Ａ  桁壁パネル
４、５  妻壁パネル
６、６Ａ  床梁
７  床受け材
８  Ｚ形鋼（床支持材）
１０  組立装置
１１  桁壁パネル保持装置
１２  基準側妻壁パネル保持装置
１３  移動側妻壁パネル保持装置
１４  床パネル支持装置
１６  水平押圧装置
１７  鉛直押圧装置
【図１】
0004567870.tif 000002
【図２】
0004567870.tif 000003
【図３】
0004567870.tif 000004
【図４】
0004567870.tif 000005
【図５】
0004567870.tif 000006
【図６】
0004567870.tif 000007
【図７】
0004567870.tif 000008
【図８】
0004567870.tif 000009
【図９】
0004567870.tif 000010
【図１０】
0004567870.tif 000011
【図１１】
0004567870.tif 000012
【図１２】
0004567870.tif 000013
【図１３】
0004567870.tif 000014
【図１４】
0004567870.tif 000015
【図１５】
0004567870.tif 000016
【図１６】
0004567870.tif 000017
【図１７】
0004567870.tif 000018
【図１８】
0004567870.tif 000019
【図１９】
0004567870.tif 000020
【図２０】
0004567870.tif 000021
【図２１】
0004567870.tif 000022
【図２２】
0004567870.tif 000023
【図２３】
0004567870.tif 000024
【図２４】
0004567870.tif 000025
【図２５】
0004567870.tif 000026
【図２６】
0004567870.tif 000027
【図２７】
0004567870.tif 000028
【図２８】
0004567870.tif 000029
【図２９】
0004567870.tif 000030
【図３０】
0004567870.tif 000031
【図３１】
0004567870.tif 000032
【図３２】
0004567870.tif 000033
【図３３】
0004567870.tif 000034
【図３４】
0004567870.tif 000035
【図３５】
0004567870.tif 000036
【図３６】
0004567870.tif 000037
【図３７】
0004567870.tif 000038
【図３８】
0004567870.tif 000039